【事件の表示】
　特願２００５−３２２７９４「薄型構造の情報処理装置」拒絶査定不服審判事件〔平成１８年　３月　２日出願公開、特開２００６−　５９３８６〕について、次のとおり審決する。
【結　論】
　本件審判の請求は、成り立たない。
【理　由】
第１　手続の経緯及び本願発明
　
１．手続の経緯
　
　本願は，平成８年１０月２４日に出願した特願平８−２８２３８５号の一部を平成１７年１１月７日に新たな特許出願としたものであって，同年１２月７日付けで手続補正書の提出がなされ，平成２０年３月２７日付けで拒絶の理由が通知され，同年５月２１日付けで意見書の提出がなされ，同年１２月３日付けで拒絶査定され，平成２１年１月８日に拒絶査定不服審判の請求がなされたものである。
　
２．本願発明
　
　本願の請求項１に係る発明（以下，「本願発明」という。）は，平成１７年１２月７日付け手続補正書の特許請求の範囲の請求項１に記載された事項により特定される次のとおりのものである。
　
「【請求項１】　情報機器の本体内部に少なくともメインボードと、バッテリと、ハードディスクドライブとを具備し、かつ、前記メインボードの上部に位置するキーボードモジュールと、該キーボードモジュール外に位置するパームレスト部を有し、
　前記メインボードと、前記バッテリと、前記ハードディスクドライブを平面的に重ならないように配置し、かつ、前記バッテリ及び前記ハードディスクドライブを該キーボードモジュールの下部には配置せず、これらを前記パームレスト部の下部に配置し、
　前記メインボードは、前記キーボードモジュールと重なっている部分及び前記パームレスト部の下部に位置し前記キーボードモジュールと重なっていない部分からなり、その重なっていない部分に上向きのコネクタを有することを特徴とする情報機器。」
　
　
第２　引用文献
　
１．引用例１について
　
　原査定の拒絶の理由で引用例１として引用された登録実用新案第３０２５４１６号公報（以下，「引用例１」という。）には，図面とともに次の事項が記載されている。
　
（１）
「【実用新案登録請求の範囲】
【請求項１】コンピュータハウジングと、
上記ハウジング内のキーボード組立体と、
上記キーボード組立体の真下に配置されたマザーボードとを備え、上記キーボード組立体及びマザーボードは、包囲体内の領域を画成し、
更に、上記領域と隣接同一平面関係で配置された包囲体内のハードディスクドライブと、
コンピュータに電力を供給するためにコンピュータハウジングの外部に取り付けられたバッテリハウジングとを備えたことを特徴とするコンピュータ。
【請求項２】上記領域と隣接同一平面関係で配置された包囲体内のプラグ・コンパチブル・メインフレーム・コンピュータ・インターコネクト・アダプタ（ＰＣＭＣＩＡ）スロットを更に備えた請求項１に記載のコンピュータ。
【請求項３】上記領域と隣接同一平面関係で配置された包囲体内のトラックボール組立体を更に備えた請求項２に記載のコンピュータ。
【請求項４】上記領域と隣接同一平面関係で配置された包囲体内のＤＣ／ＤＣコンバータを更に備えた請求項３に記載のコンピュータ。
【請求項５】上記ハードディスクドライブ、ＰＣＭＣＩＡスロット、トラックボール組立体及びＤＣ／ＤＣコンバータは、上記領域の前方の位置に配置される請求項４に記載のコンピュータ。
【請求項６】上記バッテリハウジングは、上記コンピュータハウジングの後面に可動に取り付けられる請求項５に記載のコンピュータ。」（第２ページ第１欄）
　
（２）
「【０００４】
【課題を解決するための手段】
　本考案によれば、コンピュータハウジングと、該ハウジング内のキーボード組立体とを有するコンピュータが提供される。マザーボードは、キーボード組立体の真下に配置され、従って、キーボード組立体とマザーボードは、包囲体内の領域を画成する。コンピュータを形成する他の要素は、この領域と隣接同一平面関係で配置され、そしてバッテリハウジングは、コンピュータに電力を供給するようにコンピュータハウジングの外部に取り付けられる。これにより、著しく薄いポータブルコンピュータが提供される。
【０００５】
　より詳細には、ハードディスクドライブ、ＰＣＭＣＩＡオプションスロット、トラックボール組立体、及びＤＣ／ＤＣコンバータは、全て、この領域の前方の位置に、この領域と隣接同一平面関係で配置される。バッテリハウジングは、コンピュータに電力を供給するようにコンピュータハウジングの後面に可動に取り付けられる。本考案によれば、厚さが１インチのみであり、従って、現在入手できるポータブルノートブックコンピュータよりも少なくとも５０％も薄いポータブルノートブックコンピュータが提供される。
【０００６】
【考案の実施の形態】
　図１には、本考案の原理を用いたポータブルノートブックコンピュータ１０が示されている。このノートブックコンピュータ１０は、コンピュータ包囲体即ちコンピュータハウジング１２を備え、その内部にはコンピュータ１０の電子部品１４（図示せず）が収容される（例えば、部品チップがのせられるＣＰＵマザーボード、ハードディスクドライブ、ＰＣＭＣＩＡスロット、等）。コンピュータハウジング１２の上面には、データを入力するためのキーボード１６と、ディスプレイスクリーン２０に対してカーソルを動かすのに用いるトラックボール１８がある。ディスプレイスクリーン２０は、その後縁２４においてディスプレイスクリーンヒンジ２２により、コンピュータハウジング１２の上面２６の後側２８に回転可能に取り付けられる。」（第８ページ）
　
（３）
「【００２６】
　本考案の更に別の特徴によれば、コンピュータハウジング１２の外部にバッテリハウジング３０を配置することに組み合わせて、コンピュータハウジング１２内に電子部品１４を特定にレイアウトして、非常に薄型のノートブックコンピュータ１０が形成される。図１４ないし１７の組立図を参照すれば、コンピュータハウジング１２内には、一般的に長方形のキーボード組立体１０６が配置され、該組立体は、キーボード１６及びキーボードベースプレート１０８を含む。部品チップ１１２が取り付けられた一般的に長方形のＣＰＵマザーボード１１０は、キーボード組立体１０６の真下に配置される。図示されたように、ＣＰＵマザーボード１１０は、キーボード組立体１０６と一般的にほぼ同じ寸法であり、従って、キーボード組立体１０６及びマザーボード１１０は、包囲体内に領域「Ａ」を画成する。コンピュータハウジング１２内の他の部品１４は、この領域と隣接同一平面関係に配置される。
【００２７】
　特に、領域「Ａ」に隣接し且つそれと一般に同一平面に配置されるのは、ＤＣ／ＤＣコンバータ１１４、ハードディスクドライブ１１６、トラックボール１８を含むトラックボール組立体１１８、及びＰＣＭＣＩＡオプションスロット１２０である。この構成によれば、ＤＣ／ＤＣコンバータ１１４、ハードディスクドライブ１１６、トラックボール組立体１１８、ＰＣＭＣＩＡオプションスロット１２０及びバッテリハウジング３０は、全て、互いに且つ領域「Ａ」と隣接しそしてそれと一般に同一平面であり、領域「Ａ」にはキーボード組立体１０６及びマザーボード１１０が存在し、従って、ハードディスクドライブ１０２、ＰＣＭＣＩＡ１０８又はバッテリ５４の少なくとも１つがキーボードの下に存在した公知構成により形成されるものよりも実質的に薄型のコンピュータ１０が形成される。
【００２８】
　更に、図２を参照すれば、図示されたように、ディスプレイスクリーン２０がコンピュータハウジング１２へ折り返されたときのコンピュータ１０の高さ１２２は、約１．０インチである（図２）。ディスプレイスクリーン２０は、約７．５ｍｍの厚みで示されている。コンピュータハウジング１２は、約１８ｍｍの高さであり、上壁１２８及び下壁１３０は、約１．２ｍｍの厚みである。キーボード組立体１０６は、高さ１３２が約８．６ｍｍであり、コンピュータハウジング１２の後面２８へ向かい、マザーボード１１０の真上に配置され、そしてマザーボードは、巾１３４が約１ｍｍで、キーボードベースプレート１０８の約２ｍｍ下に（１３６）配置される。１２．５ｍｍのハードディスクドライブ１１６、高さが１３ｍｍ未満のデュアルタイプＩＩ及びシングルタイプＩＩＩ　ＰＣＭＩＡオプションスロット１２０、及び高さが１３ｍｍ未満のトラックボール組立体１１８は、領域「Ａ」の前方で、それに隣接し且つ同一平面に配置される。これにより、全厚みが１インチのコンピュータ１０が得られ、公知のノードブックコンピュータよりも３３％ないし７０％も薄型であるという効果が発揮される。」（第１４〜１５ページ）
　
　なお，上記の【００２８】の「・・・高さが１３ｍｍ未満のデュアルタイプＩＩ及びシングルタイプＩＩＩ　
ＰＣＭＩＡ
ＰＣＭＩＡ
ＰＣＭＣＩＡ
　
（４）
　上記の【０００６】，【００２６】及び【００２７】の記載を参酌すると，図１，図１５及び図１７には，マザーボード１１０と，ハードディスクドライブ１１６と，ＤＣ／ＤＣコンバータ１１４と，ＰＣＭＣＩＡオプションスロット１２０を平面的に重ならないように配置し，ハードディスクドライブ１１６とＤＣ／ＤＣコンバータ１１４を，キーボード組立体１０６の下部には配置せず，キーボード組立体１０６外の手前側に位置するハウジング１２の上面２６のトラックボール１８近傍部の下部に配置すること，バッテリ３０をハウジング１２外に設けること，及び，マザーボード１１０はキーボード組立体１０６と重なっている部分からなる，構成がみてとれる。
　
　以上の記載から，引用例１には，コンピュータのハウジング内の電子部品の配置に関し，次の発明（以下，「引用例１発明」という。）が記載されている。
　
「コンピュータのハウジング１２内に，マザーボード１１０と，ＤＣ／ＤＣコンバータ１１４と，ＰＣＭＣＩＡオプションスロット１２０，ハードディスクドライブ１１６とを具備し，かつ，前記マザーボード１１０の真上に位置するキーボード組立体１０６と，該キーボード組立体１０６外の手前側に位置するハウジング１２の上面２６にトラックボール１８近傍部を有し，
　コンピュータのハウジング１２外部に，バッテリ３０を取り付け，
　薄型のコンピュータを形成するために，　
　前記マザーボード１１０と，前記ＤＣ／ＤＣコンバータ１１４と，前記ハードディスクドライブ１１６と，ＰＣＭＣＩＡオプションスロット１２０を平面的に重ならないように配置し，かつ，前記ハードディスクドライブ１１６を該キーボード組立体１０６の下部には配置せず，前記ハードディスクドライブ１１６を前記トラックボール１８近傍部の下部に配置し，
　前記マザーボード１１０は，
　前記キーボード組立体１０６と重なっている部分からなるコンピュータ。」
　
２．引用例２について
　
　原査定の拒絶の理由で引用例２として引用された特開平８−１８５２４１号公報（以下，「引用例２」という。）には，図面とともに次の事項が記載されている。
　
（１）
「【００４９】図１は、Ａ４サイズのブック形のポータブルコンピュータ１を示している。このコンピュータ１は、電子機器本体としてのベースユニット２と、このベースユニット２に支持されたディスプレイユニット３とを備えている。
【００５０】ベースユニット２は、四角形箱状をなす筐体４を備えている。この筐体４は、互いに対向し合う底面５ａと上面５ｂ、これら底面５ａ、上面５ｂに連なる前面５ｃと後面５ｄおよび左右の側面５ｅ，５ｆを有する偏平な四角形箱状をなしている。
【００５１】筐体４は、底面５ａを有するロアハウジング７と、上面５ｂを有するアッパハウジング８とに分割されている。これらロアハウジング７およびアッパハウジング８は、ＡＢＳ樹脂のような合成樹脂材料にて構成されている。
【００５２】図４や図１０に示すように、ロアハウジング７の内部には、回路基板１０が収容されている。回路基板１０は、ロアハウジング７の底面５ａ上の複数のボス部１１にねじ１２を介して固定されており、この底面５ａと平行に配置されている。回路基板１０は、底面５ａと略同じ大きさを有する四角形状をなしており、その前後左右の周縁部が、ロアハウジング７の前面５ｃ、後面５ｄおよび左右の側面５ｅ，５ｆに隣接されている。そして、回路基板１０の上面および下面には、ＬＳＩパッケージのような各種の回路部品１３が実装されている。」（第６ページ第１０欄）
　
（２）
「【００６１】図２や図４に示すように、ロアハウジング７は、その前端部にバッテリ収容部４０を備えている。バッテリ収容部４０は、ハードディスク駆動装置１５の左側方であり、かつＣＤ−ＲＯＭ駆動装置１６の前方に位置されており、上記ロアハウジング７の上方に向けて開放された凹所にて構成されている。そして、バッテリ収容部４０の底部には、金属製のシールド板４１が配置されており、このシールド板４１は、上記回路基板１０の前半部上面を覆い隠している。
【００６２】図８に示すように、バッテリ収容部４０とハードディスク駆動装置１５との間には、合成樹脂製のバッテリホルダ４２が配置されている。このバッテリホルダ４２のバッテリ収容部４０に臨む面には、バッテリコネクタ４４が配置されている。このバッテリコネクタ４４は、回路基板１０の上面に実装されている。
【００６３】バッテリ収容部４０には、バッテリパック４６が取り出し可能に収容されている。バッテリパック４６は、商用交流電源を得られない場所でコンピュータ１を使用する場合に、その駆動用電源となるもので、ロアハウジング７の上方からバッテリ収容部４０に出し入れされるようになっている。そして、バッテリパック４６をバッテリ収容部４０に収容すると、このバッテリパック４６の正負の端子（図示せず）がバッテリコネクタ４４に接するようになっている。このため、本実施例のコンピュータ１では、ロハウジング７の前半部にハードディスク駆動装置１５とバッテリパック４６とが左右に並べて配置されている。」（第７ページ第１２欄）
　
（３）
「【００９３】上記アッパハウジング８のアームレスト９１は、キーボード１１７の手元側に位置されている。このアームレスト９１は、キーボード装着部９２の前端に連なっており、上記ハードディスク駆動装置１５やバッテリ収容部４０を上方から覆っている。
【００９４】図１や図８に示すように、アームレスト９１は、オペレータがキーボード１１７を操作する際の手置き台１２６と、この手置き台１２６の前縁部および左右の側縁部から下向きに延びる周壁１２７とを一体に有し、この周壁１２７の下端部がロアハウジング７の前半部上に前後に移動可能に載置されている。手置き台１２６の略中央部には、コマンドの実行および取り消しを行なうための一対の操作ボタン１２８ａ，１２８ｂが前後に並んで配置されている。また、左側の周壁１２７には、上記端子カバー５１を露出させる切り欠き１２９が形成されている。」（第１０ページ第１７欄）
　
（４）
「【００９８】したがって、アームレスト９１は、ハードディスク駆動装置１５やバッテリ収容部４０を上方から覆い隠す閉じ位置と、これらハードディスク駆動装置１５やバッテリ収容部４０を上方に露出させる開き位置とに亘って回動可能にキーボード装着部９２に支持されている。このことから、上記バッテリパック４６は、アームレスト９１を開き位置に回動させた状態で、筐体４の上方から出し入れされるようになっている。」（第１０ページ第１８欄）
　
（５）
　上記（１）〜（４）の記載を参酌すると，図１，図２及び図８には，筐体４内部にバッテリパック４６を具備し、かつバッテリパック４６をキーボードパネル１１８の下部には配置せず、アームレスト９１の下部に配置する，構成がみてとれる。
　
　以上の記載から，引用例２には，次の技術（以下，「引用例２記載技術」という。）が開示されている。
　
「回路基板１０は，キーボードパネル１１８と重なっている部分及びアームレスト９１の下部に位置し、キーボードパネル１１８と重なっていない部分とからなり，
　ポータブルコンピュータ１の筐体４内部にバッテリパック４６を具備し，かつバッテリパック４６をキーボードパネル１１８の下部には配置せず，アームレスト９１の下部に配置する」技術。
　
　
第３　対比
　
１．引用例１発明と本願発明の比較
　
・引用例１発明の「コンピュータ」，「ハウジング１２」，「マザーボード１１０」，「キーボード組立体１０６」は，本願発明の「情報機器」，「本体」，「メインボード」，「キーボードモジュール」に，それぞれ相当する。
　
・引用例１発明において「キーボード組立体１０６外の手前側に位置するハウジング１２の上面２６のトラックボール１８近傍部」に，手のひらを置いてキーボードやトラックボールを操作することは明らかであるから，前記「キーボード組立体１０６外の手前側に位置するハウジング１２の上面２６のトラックボール１８近傍部」は，本願発明の「キーボードモジュール外に位置するパームレスト部」に相当する。
　
　したがって、両者の一致点及び相違点は次のとおりである。
　
［一致点］
　「情報機器の本体内部にメインボードと，ハードディスクドライブとを具備し，かつ，前記メインボードの上部に位置するキーボードモジュールと，該キーボードモジュール外に位置するパームレスト部を有し，
　前記メインボードと，前記ハードディスクドライブを平面的に重ならないように配置し，かつ，前記ハードディスクドライブを該キーボードモジュールの下部には配置せず，前記パームレスト部の下部に配置し，
　前記メインボードは，前記キーボードモジュールと重なっている部分からなる情報機器。」
　
［相違点１］　
　「バッテリ」が，本願発明では，「情報機器の本体内部に」具備され，「メインボードと，ハードディスクドライブ」と「平面的に重ならないように配置」して，「キーボードモジュールの下部には配置せず」，「パームレスト部の下部に配置し」ているのに対して，引用例１発明では「コンピュータのハウジング１２外部に」取り付けられている点。
　
［相違点２］
　「メインボード」が，本願発明では「キーボードモジュールと重なっている部分及びパームレスト部の下部に位置しキーボードモジュールと重なっていない部分からなり，その重なっていない部分に上向きのコネクタを有する」のに対して，引用例１発明では，「上向きのコネクタ」の記載もなく，単に「キーボードモジュールと重なっている部分」からなっている点。
　
２．引用例２記載技術と本願発明について
　
　引用例２記載技術の「回路基板１０」，「キーボードパネル」，「アームレスト」，「ポータブルコンピュータの筐体４」，「バッテリパック４６」は，それぞれ本願発明の「メインボード」，「キーボードモジュール」，「パームレスト」，「情報機器の本体」，「バッテリ」に相当する。
　
　
第４　当審の判断
　
［相違点１］について
　引用例１発明は，情報機器において，ＤＣ／ＤＣコンバータ，ハードディスクドライブ，ＰＣＭＣＩＡオプションスロット等の電子部品を，キーボードモジュールの領域以外の領域であるアームレスト（パームレスト）の下部に，平面的に重ならないように配置している。
　そして，一般に，情報機器において，電子部品の配置をどのようにするかは，部品相互の接続関係，部品の寸法等を勘案して，当業者が適宜決める得る設計的事項に過ぎない。また，情報機器において，バッテリをハウジング（本体）内に配置することは，例えば，特開平７−４５３０６号公報（【００１８】，【００１９】，【図２】参照。），引用例２（【００６１】〜【００６３】，【図２】，【図８】参照。）等にも記載されているように周知である。
　そして，引用例１発明の情報機器のバッテリの配置に関して，情報機器のバッテリをハウジング内で，キーボードの下部ではなくパームレストの下部に配置する引用例２記載技術を適用して，引用例１発明のＤＣ／ＤＣコンバータ，ハードディスクドライブ，ＰＣＭＣＩＡオプションスロット等の部品と同様に，バッテリを，情報機器の本体内部であって，メインボードと，ハードディスクドライブと平面的に重ならないように，キーボードモジュールの下部には配置せず，パームレストの下部に配置することは，当業者が容易になし得ることである。
　
［相違点２］について
　情報機器において，例えば，特開平５−１９８９４号公報（原査定の拒絶の理由の「引用例３」（第２ページ第２欄第１４〜１７行，第３ページ第３欄第２２〜２９行，図４参照。））にも記載されているように，基板９上であって，キーボード１の下部には比較的実装部品高さ（図４の「ｈ」）の低いもので，キーボード１の後部には比較的実装部品高さ（図４の「Ｈ」）の高いもので，一枚の基板を構成することにより，情報処理装置の薄型化が達成できることは明らかであるから，引用例２記載技術を引用例１発明に適用する際に，メインボードを，キーボードモジュールと重なっている部分及びパームレスト部の下部に位置しキーボードモジュールと重なっていない部分からなるようにして，その重なってい部分に比較的実装部品高さの高いものとして，本願発明のような「上向きコネクタ」を有するように構成することは，当業者が容易になし得ることである。
　
　そして，本願発明のように構成したことによる効果も，引用例１発明，引用例２記載技術，及び周知技術からみて，予測できる程度のものであり格別なものではない。
　
　したがって，本願発明は，引用例１発明，引用例２記載技術，及び周知技術に基づいて，当業者が容易に発明することができたものである。
　
　
第５　まとめ
　
　以上のとおり，本願発明は，引用例１発明，引用例２記載技術，及び周知技術に基づいて，当業者が容易に発明することができたものであるから，特許法第２９条第２項の規定により，特許を受けることができない。
　そして，他の請求項について論及するまでもなく，この出願は拒絶すべきものである。
　
　よって，結論のとおり，審決する。